(57)【特許請求の範囲】
【請求項１】
室外機ベース上にドレン水の凍結を防止するデフロストヒータが敷設され、該デフロストヒータがブラケットを介して前記室外機ベースの底面に固定されている空気調和機の室外機において、
前記ブラケットは、長方形状で両端近傍にＵ字形状の打ち抜き部が設けられ、その外端側が自由端とされた打ち抜き部により、前記デフロストヒータを押さえる一端側が自由端とされたアーム形状の一対の押さえ部分が形成され、該押さえ部分は、前記室外機ベースおよび前記デフロストヒータの寸法公差を吸収して該デフロストヒータを押さえられるようにベンディング可能な構成とされており、
前記ブラケットは、前記一対の押さえ部分により、前記室外機ベース上に曲げ形成されて敷設されている前記デフロストヒータを２箇所で押さえ、その長手方向の一端に設けられている係止部を前記室外機ベースの底面に設けられている切欠き部に係止し、他端を前記室外機ベースにビス止めすることにより固定設置されていることを特徴とする空気調和機の室外機。
【請求項２】
前記押さえ部分は、前記デフロストヒータに接する接触面が凸状の円弧断面形状とされていることを特徴とする請求項１に記載の空気調和機の室外機。
【請求項３】
前記押さえ部分は、前記ブラケットの端部側にＵ字形状の打ち抜き部が設けられることにより残余の中央部分がアーム形状の前記押さえ部分とされ、その両側部分が前記ブラケットの前記室外機ベースへの固定部分とされていることを特徴とする請求項１または２に記載の空気調和機の室外機。
【請求項４】
前記ブラケットは、前記室外機ベースの底面に設けられているドレン排水路の底面との間に隙間を確保した状態で前記室外機ベースに固定設置されていることを特徴とする請求項１ないし３のいずれかに記載の空気調和機の室外機。
【請求項５】
前記ブラケットは、前記室外機ベースの底面に所定高さだけ上方に凸状に高くされている絞り部分にビス止め固定されていることを特徴とする請求項１ないし４のいずれかに記載の空気調和機の室外機。
【発明の詳細な説明】
【技術分野】
【０００１】
本発明は、室外機ベース上にドレン水の凍結を防止するデフロストヒータが敷設されている空気調和機の室外機に関するものである。
【背景技術】
【０００２】
ヒートポンプ式の空気調和機では、暖房運転時、蒸発器として機能する室外熱交換器に着霜（フロスト）することがある。この霜によって熱交換が阻害されるため、着霜が検知された場合、霜を取り除くデフロスト運転を行うようにしている。デフロスト運転を実施すると、室外熱交換器に着霜していた霜が融け、ドレン水となって室外機のベース上に滴下した後、ドレン排出穴を経て外部へと排出される。しかるに、寒冷地においては、着霜し易い上に、低外気温下では室外機ベース上に滴下したドレン水が、ドレン排出穴から排出される前にベース上で再凍結してしまう場合がある。
【０００３】
そこで、寒冷地向けの空気調和機では、室外機ベース上にデフロストヒータ（シーズヒータ）を敷設し、ドレン水が凍結するおそれがある場合、デフロストヒータに通電して室外機ベースを加温することによりドレン水の室外機ベース上での再凍結を防止し、氷が堆積することにより発生する室外ファンのロック等を防ぐようにしている。このデフロストヒータには、通常、過昇温防止用のサーモスタットが取付けられており、その表面温度を検知してデフロストヒータへの通電をオンオフ制御し、表面温度を一定範囲内に保持するように構成されている。
【０００４】
上記の如く、室外機ベース上にドレン水の凍結を防止するシーズヒータ等の管状ヒータを敷設した空気調和機の室外機として、例えば特許文献１，２に示されるようなものが知られている。特許文献２には、室外機ベース上に敷設されている管状ヒータを、全体が矩形形状で、両端の長手方向に長形の凹部が形成されるとともに、長手方向の両端部中央に２個のネジ穴が設けられ、このネジ穴と長形の凹部とで囲まれている中央部にソケットが形成されている隔絶板によって、室外機ベースの底面に押さえ付けて固定したものが示されている。また、このものでは、長形の凹部内の数箇所に凸部を設け、この凸部で管状ヒータを押さえることにより、隔絶板とヒータとの接触部分が少なくなるようにしている。
【先行技術文献】
【特許文献】
【０００５】
【特許文献１】実公平４−１０４９６号公報（図３〜図４参照）
【特許文献２】特許第３８８２９１０号公報（図１〜図３参照）
【発明の概要】
【発明が解決しようとする課題】
【０００６】
しかしながら、特許文献２に示されるように、長形の凹部を有している隔絶板（ブラケット）で管状のデフロストヒータを押さえ付けて固定する場合、互いにリジットな室外機ベースおよびデフロストヒータの寸法公差を吸収し、一定の力でデフロストヒータを押さえ付けて固定することは難しく、押さえがあまくなって室外機運搬時の衝突や振動で位置ずれし、加温不良や他部品との接触等の不具合発生の要因となったり、逆に押さえ過ぎによってデフロストヒータを損傷したりする等の問題があった。
【０００７】
また、隔絶板（ブラケット）自体が室外機ベースの底面に直接ビス止めされ、そのソケット内にドレン穴が設けられているため、室外熱交換器から滴下したドレン水が隔絶板によって阻害され、ドレス穴に至る間に室外機ベース上で滞留する虞があるとともに、隔絶板を固定するビス先端が室外機ベースの裏面に突出しており、室外機の据え付け時、作業者が室外機ベースに手を掛けたとき、ビス先端で怪我をする虞がある等の問題があった。
【０００８】
本発明は、このような事情に鑑みてなされたものであって、室外機ベース上に敷設されるデフロストヒータを、寸法公差を吸収し一定の力で所定位置に確実に固定でき、所期の凍結防止機能を達成できる空気調和機の室外機を提供することを目的とする。
【課題を解決するための手段】
【０００９】
上記課題を解決するために、本発明の空気調和機の室外機は、以下の手段を採用する。
すなわち、本発明にかかる空気調和機の室外機は、室外機ベース上にドレン水の凍結を防止するデフロストヒータが敷設され、該デフロストヒータがブラケットを介して前記室外機ベースの底面に固定されている空気調和機の室外機において、前記ブラケットは、長方形状で両端近傍にＵ字形状の打ち抜き部が設けられ、その外端側が自由端とされた打ち抜き部により、前記デフロストヒータを押さえる一端側が自由端とされたアーム形状の一対の押さえ部分が形成され、該押さえ部分は、前記室外機ベースおよび前記デフロストヒータの寸法公差を吸収して該デフロストヒータを押さえられるようにベンディング可能な構成とされており、前記ブラケットは、前記一対の押さえ部分により、前記室外機ベース上に曲げ形成されて敷設されている前記デフロストヒータを２箇所で押さえ、その長手方向の一端に設けられている係止部を前記室外機ベースの底面に設けられている切欠き部に係止し、他端を前記室外機ベースにビス止めすることにより固定設置されていることを特徴とする。
【００１０】
本発明によれば、デフロストヒータを室外機ベースに固定するブラケットに、長方形状で両端近傍にＵ字形状の打ち抜き部が設けられ、その外端側が自由端とされた打ち抜き部により、デフロストヒータを押さえる一端側が自由端とされたアーム形状の一対の押さえ部分が形成され、その押さえ部分が室外機ベースおよびデフロストヒータの寸法公差を吸収して該デフロストヒータを押さえられるようにベンディング可能な構成とされているため、互いにリジットな室外機ベースおよびデフロストヒータの寸法公差をアーム形状とされている押さえ部分のベンディング機能（曲げ機能）によって吸収し、デフロストヒータを一定の力で室外機ベースの底面に押さえ付けて固定することができる。従って、室外機運搬時の衝突や振動等にもかかわらず、デフロストヒータを所定位置に確実に固定し、所期の凍結防止機能を達成することができる。また、該ブラケットは、一対の押さえ部分によって、室外機ベース上に曲げ形成されて敷設されているデフロストヒータを２箇所で押さえ、その長手方向の一端に設けられている係止部を室外機ベースの底面に設けられている切欠き部に係止し、他端を室外機ベースにビス止めすることにより固定設置される構成とされているため、両端に一対の押さえ部分が設けられている１個のブラケットで、往復されるように曲げ形成されているデフロストヒータを２箇所で室外機ベースに押さえ付けて固定することができることから、デフロストヒータの必要固定箇所に対してブラケットの数を半減し、構成の簡素化、低コスト化を図ることができ、しかもブラケットの他端に設けられている係止部を室外機ベース底面に設けられている切欠き部に係止し、その一端を室外機ベース絞り部分にビス止め固定することにより、１箇所のビス止めでブラケットを固定することができるため、デフロストヒータの固定作業を簡素化し、組み立て性を向上することができる。
【００１１】
さらに、本発明の空気調和機の室外機は、上記の空気調和機の室外機において、前記押さえ部分は、前記デフロストヒータに接する接触面が凸状の円弧断面形状とされていることを特徴とする。
【００１２】
本発明によれば、押さえ部分のデフロストヒータに接する接触面が凸状の円弧断面形状とされているため、押さえ部分の凸状円弧断面とされている接触面をデフロストヒータの外周面に接触させ、デフロストヒータを室外機ベースの底面に固定することができる。従って、押さえ部分のエッジ部分でのバリ等によりデフロストヒータの外郭を損傷しないようにデフロストヒータを固定することができる。また、ブラケットとデフロストヒータとの接触面積を最小限とし、ブラケット側への伝熱量を抑制しつつ室外機ベースを効率よく加温することができる。
【００１３】
さらに、本発明の空気調和機の室外機は、上述のいずれかの空気調和機の室外機において、前記押さえ部分は、前記ブラケットの端部側にＵ字形状の打ち抜き部が設けられることにより残余の中央部分がアーム形状の前記押さえ部分とされ、その両側部分が前記ブラケットの前記室外機ベースへの固定部分とされていることを特徴とする。
【００１４】
本発明によれば、押さえ部分は、ブラケットの端部側にＵ字形状の打ち抜き部が設けられることにより残余の中央部分がアーム形状の押さえ部分とされ、その両側部分が該ブラケットの室外機ベースへの固定部分とされているため、ブラケットの室外機ベースに固定される固定部分の中央部に打ち抜きによってアーム形状の押さえ部分を形成することができる。従って、両側の固定部分を室外機ベースに固定することにより中央部の押さえ部分でデフロストヒータをしっかりと室外機ベースに押さえ付けることができる。
【００１５】
さらに、本発明の空気調和機の室外機は、上述のいずれかの空気調和機の室外機において、前記ブラケットは、前記室外機ベースの底面に設けられているドレン排水路の底面との間に隙間を確保した状態で前記室外機ベースに固定設置されていることを特徴とする。
【００１６】
本発明によれば、ブラケットが、室外機ベースの底面に設けられているドレン排水路の底面との間に隙間を確保した状態で室外機ベースに固定設置されているため、ドレン排水路を流れるドレン水の流れがデフロストヒータを固定するブラケットにより阻害されることがなく、従って、デフロスト運転により発生したドレン水を速やかにドレン排出穴に導いて外部へと排出することができ、ドレン水が室外機ベース上に滞留して再凍結するのを確実に阻止することができる。
【００１７】
さらに、本発明の空気調和機の室外機は、上述のいずれかの空気調和機の室外機において、前記ブラケットは、前記室外機ベースの底面に所定高さだけ上方に凸状に高くされている絞り部分にビス止め固定されていることを特徴とする。
【００１８】
本発明によれば、ブラケットが、室外機ベースの底面に所定高さだけ上方に凸状に高くされている絞り部分にビス止め固定されているため、ブラケットを室外機ベースに固定するためのビスの先端が、室外機ベースの剛性アップ用に設けられている上方に凸状の絞り部分内に位置することから室外機ベースの下面から飛び出すことがなくなる。従って、室外機の据え付け時に、作業者が室外機ベースに手を掛けてもビスの先端で怪我をする虞がなく、安全性を確保することができる。
【発明の効果】
【００１９】
本発明によると、互いにリジットな室外機ベースおよびデフロストヒータの寸法公差をアーム形状とされている押さえ部分のベンディング機能により吸収し、デフロストヒータを一定の力で室外機ベースの底面に押さえ付けて固定することができるため、室外機運搬時の衝突や振動等にもかかわらず、デフロストヒータを所定位置に確実に固定でき、所期の凍結防止機能を達成することができる。また、両端に一対の押さえ部分が設けられている１個のブラケットで、往復されるように曲げ形成されたデフロストヒータを２箇所で室外機ベースに押さえ付けて固定することができるため、デフロストヒータの必要固定箇所に対してブラケットの数を半減し、構成の簡素化、低コスト化を図ることができ、しかもブラケットの他端に設けられている係止部を室外機ベース底面の切欠き部に係止し、その一端を室外機ベース絞り部分にビス止め固定することにより、１箇所のビス止めでブラケットを固定することができるため、デフロストヒータの固定作業を簡素化し、組み立て性を向上することができる。
【図面の簡単な説明】
【００２０】
【図１】本発明の一実施形態に係る空気調和機の室外機の分解斜視図である。
【図２】図１に示す室外機のベース上に設置されるデフロストヒータおよび室外熱交換器の分解斜視図である。
【図３】図２に示す室外機のベース上にデフロストヒータおよび室外熱交換器を設置した状態の斜視図である。
【図４】図３に示す室外機ベース上に敷設されたデフロストヒータの拡大斜視図である。
【図５】図４に示す室外機ベースを裏面側から見た拡大斜視図である。
【図６】図４に示すデフロストヒータを室外機ベース上に固定するブラケットの平面図（Ａ）とその側面図（Ｂ）、および（Ａ）図におけるａ−ａ断面図（Ｃ）、ｂ−ｂ断面図（Ｄ）並びに（Ｂ）図におけるｃ−ｃ断面図（Ｅ）である。
【発明を実施するための形態】
【００２１】
以下に、本発明にかかる実施形態について、図面を参照して説明する。
以下、本発明の一実施形態について、図１ないし図６を用いて説明する。
図１には、本発明を適用した空気調和機の室外機の分解斜視図が示され、図２には、その主要部の分解斜視図が示され、更に、図３には、デフロストヒータを敷設した状態の斜視図が示されている。
空気調和機の室外機１は、室外機ベース２と、前面および左側面パネル３と、右側面パネル４、サービスカバー５、天面パネル６等によって構成される横長長方形状の筐体７を備えている。
【００２２】
筐体７内は、仕切板８により機械室９側と熱交換器室１０側とに仕切られており、機械室９側には、圧縮機１１の他、配管類１２、四方切換弁、膨張弁およびコントロールボックス等が配設され、熱交換器室１０側には、室外熱交換器１３、室外ファン１４および室外機ベース２の凍結防止用デフロストヒータ１５等が設けられている。これらの機器のうち、圧縮機１１、室外熱交換器１３、室外ファン１４およびデフロストヒータ１５は、室外機ベース２上に設置されている。
【００２３】
室外機ベース２は、図４に示されるように、周囲に上方への立ち上り壁１６を備えた皿状をなす長方形状のプレス成形品であり、左右両側近傍の裏面に据え付け用脚１７が一体に溶接されている。室外機ベース２の底面には、図４に示されるように、左側位置に圧縮機１１を設置するための設置座１８が３ケ所に設けられ、中央よりもやや右寄り位置に室外ファン１４を設置するための設置座１９が設けられ、また、後方辺（図４の手前辺）および左側方辺（図４の右側方辺）に沿って室外熱交換器１３を設置するための設置座２０が４ケ所に設けられている。これらの設置座１８，１９，２０は、室外機ベース２の底面から所定高さだけ上方に凸状に形成されている。
【００２４】
さらに、室外機ベース２の底面には、熱交換器室１０側領域の前方辺（図４の奥側辺）および後方辺（図４の手前辺）に沿うように、ベース底面から若干低くされている凹状の排水路２１，２２が設けられており、この排水路２１，２２は、室外機ベース２の底面上のドレン水を集めて外部に排出するためのもので、その最低部位置２ケ所にドレン排出穴２３，２４が穿設されている。
【００２５】
また、室外機ベース２の底面に設けられている排水路２２内には、図３，４に示されるように、Ｌ字形状に曲げ形成されている室外熱交換器１３の下部に沿うようにデフロストヒータ１５が敷設されている。このデフロストヒータ１５は、棒状のシーズヒータを折り曲げ形成したものであり、その両端部分１５Ａは、上方に立ち上げられている。また、該両端部分１５Ａに連なっている中間の水平部分１５Ｂは、排水路２２に沿うように折り曲げられることによって敷設され、ブラケット２５を介して２ケ所で室外機ベース２の底面に固定されている。
【００２６】
デフロストヒータ１５には、電力供給用のハーネス２６が接続されているとともに、その表面温度を検知して、設定温度（例えば、３５℃）以上でデフロストヒータ１５をオフとし、設定温度（例えば、２５℃）以下でデフロストヒータ１５をオンとする過昇温防止用のサーモスタット２７が設けられている。このサーモスタット２７は、図２ないし図４に示されるように、デフロストヒータ１５の室外機ベース２上に敷設される水平部分１５Ｂから折り曲げられて上方に立ち上げられている立ち上げ部１５Ｃ（図２参照）の曲げアール止まり付近に、立ち上り部１５Ｃを挟み込んでクリップ止めされることにより設置されている。
【００２７】
また、上記ブラケット２５は、図６（Ａ）ないし（Ｅ）に示されるように、凹状の排水路２２を跨ぐように架設される長方形状の板金製プレス成形品であり、一端（図６（Ａ）の右端）に室外機ベース２の後方辺（図２の奥側辺）に沿う位置に設けられている切欠き部（差し込み穴）２８（図２参照）に差し込み係止される係止部２９が設けられ、他端側（図６（Ａ）の左端側）にビス止め穴３０が設けられている。ブラケット２５がビス３１を介してビス止めされる室外機ベース２の底面は、所定高さだけ上方に凸状に高くされている剛性アップ用の絞り部分３２とされており、図５に示されるように、ビス３１の先端が室外機ベース２の裏面（下面）から突出されないように構成されている。
【００２８】
このように、係止部２９およびビス止め穴３０が設けられているブラケット２５の両端設置部分に対して、その中間部分３３は、図６（Ｂ）に示されるように、排水路２２の底面との間に所定の隙間を保つ位置まで凹状に屈曲されている。また、ブラケット２５の両端近傍には、それぞれＵ字形状の打ち抜き部３４，３５が設けられている。この打ち抜き部３４，３５によって残余の中央部分にデフロストヒータ１５の外周を押さえるアーム形状の押さえ部分３６，３７が設けられ、その両側部分は、ブラケット２５の室外機ベース２への固定部分３８，３９とされている。
【００２９】
さらに、アーム形状の押さえ部分３６，３７の自由端には、図６（Ｃ）および（Ｄ）に示されるように、デフロストヒータ１５の外周に沿う円弧押さえ部４０，４１が設けられている。この円弧押さえ部４０，４１のデフロストヒータ１５の外周と接触する接触面４２は、図６（Ｅ）に示されるように、接触面４２側に凸状の円弧断面形状とされている。
なお、ブラケット２５の中間部分３３には、長手方向の両側部および中央部に補強用リブ４３が設けられている。
【００３０】
以上に説明の構成により、本実施形態によれば、以下の作用効果を奏する。
上記室外機１において、空気調和機を暖房運転すると、室外熱交換器１３は蒸発器として機能し、低温の外気から吸熱することになる。このため、外気条件によっては室外熱交換器１３の表面で霜が生成されることがある。この霜は、冷媒と外気との熱交換を阻害するため、着霜が検知されると、空気調和機の暖房サイクルを除霜サイクルに切換え、室外熱交換器１３に高温の冷媒ガスを供給してデフロスト運転を行うようにしている。
【００３１】
デフロスト運転により霜が融解されると、そのドレン水は、室外熱交換器１３を伝って室外機ベース２上に流下し、排水路２１，２２を介してドレン排水穴２３，２４へと集められ、外部に排出される。この間、ドレン水が室外機ベース２上で再凍結し、それが堆積して室外ファン１４等をロックすること等がないように、デフロスト条件下では、適宜のタイミングで室外機ベース２上に敷設されているデフロストヒータ１５に通電することにより、室外機ベース２を加温し、ドレン水の再凍結を防止している。
【００３２】
また、このデフロストヒータ１５には、デフロストヒータ１５が空焚きされる等により過度に温度が上昇することがないように、その表面温度を検知し、設定温度（例えば、３５℃）以上でデフロストヒータ１５をオフとし、設定温度（例えば、２５℃）以下でデフロストヒータ１５をオンとする過昇温防止用のサーモスタット２７が設けられ、デフロストヒータ１５の表面温度を一定範囲内に制御することにより過昇温を防止し、周辺機器を保護している。
【００３３】
ここで、デフロストヒータ１５は、室外機１の運搬時の衝突や振動等により位置ずれしないように、互いにリジットな室外機ベース２およびデフロストヒータ１５の寸法公差を吸収し、一定の力でデフロストヒータ１５を押さえ付けてしっかり固定する必要がある。本実施形態においては、デフロストヒータ１５を固定するブラケット２５に、デフロストヒータを押さえる一端側が自由端とされたアーム形状の押さえ部分３６，３７を設け、この押さえ部分３６，３７を室外機ベース２およびデフロストヒータ１５の寸法公差を吸収してデフロストヒータ１５を押さえられるようにベンディング可能な構成としている。
【００３４】
このため、互いにリジットな室外機ベース２およびデフロストヒータ１５の寸法公差をアーム形状とされている押さえ部分３６，３７のベンディング機能（曲げ機能）によって吸収し、デフロストヒータ１５を一定の力で室外機ベース２の底面に押さえ付けて固定することができる。従って、室外機運搬時の衝突や振動等にもかかわらず、デフロストヒータ１５が位置ずれを生ずることがなく、加温不良や他部品との接触等の不具合、あるいは押さえ過ぎによるデフロストヒータ１５の損傷等を解消でき、デフロストヒータ１５を所定位置に確実に固定し、所期の凍結防止機能を果たすことができる。
【００３５】
特に、押さえ部分３６，３７における円弧押さえ部４０，４１のデフロストヒータ１５に接する接触面４２を、接触面４２側に凸状の円弧断面形状とし、押さえ部分３６，３７の凸状円弧断面とされている接触面４２をデフロストヒータ１５の外周面に接触させることにより、デフロストヒータ１５を室外機ベース２の底面に固定しているため、押さえ部分３６，３７のエッジ部分でのバリ等によりデフロストヒータ１５の外郭を損傷しないようにデフロストヒータ１５を固定することができるとともに、ブラケット２５とデフロストヒータ１５との接触面積を最小限とし、ブラケット２５側への伝熱量を抑制しつつ室外機ベース２を効率よく加温することができる。
【００３６】
更に、上記押さえ部分３６，３７は、ブラケット２５の端部側にＵ字形状の打ち抜き部３４，３５を設けることにより、残余の中央部分がアーム形状の押さえ部分３６，３７とされ、その両側部分がブラケット２５の室外機ベース２への固定部分とされている。このため、ブラケット２５の室外機ベース２に固定される固定部分３８，３９の中央部に打ち抜きによりアーム形状の押さえ部分３６，３７を形成することができ、従って、両側の固定部分３８，３９を室外機ベース２に固定することにより中央部の押さえ部分３６，３７でデフロストヒータ１５をしっかりと室外機ベース２に押さえ付けることができる。
【００３７】
また、ブラケット２５は、室外機ベース２の底面に設けられているドレン排水路２２の底面との間に隙間を確保した状態で、室外機ベース２の切欠き部（差し込み穴）２８と剛性アップ用絞り部分３２との間に架設されるようになっているため、ドレン排水路２２を流れるドレン水の流れがデフロストヒータ１５を固定するブラケット２５によって阻害されることがなく、従って、デフロスト運転により発生したドレン水を速やかにドレン排出穴２３，２４に導いて外部へと排出することができ、ドレン水が室外機ベース２上に滞留して再凍結するのを確実に阻止することができる。
【００３８】
また、上記ブラケット２５は、室外機ベース２の底面に所定高さだけ上方に凸状に高くされている剛性アップ用絞り部分３２にビス３１を介してビス止め固定されている。このため、図５に示されるように、ブラケット２５を室外機ベース２に固定するビス３１の先端が、室外機ベース２の剛性アップ用に設けられている上方に凸状の絞り部分３２内に位置することから室外機ベース２の下面から下方に飛び出すことがなくなる。従って、室外機１の据え付け時に、作業者が室外機ベース２に手を掛けてもビス３１の先端で怪我をする虞がなく、安全性を確保することができる。
【００３９】
さらに、上記ブラケット２５は、図６に示されるように、両端近傍に一対の押さえ部分３６，３７が設けられ、室外機ベース２上に曲げ形成されて敷設されているデフロストヒータ１５を２箇所で押さえられるように構成され、両端に一対の押さえ部分３６，３７が設けられている１個のブラケット２５により、往復されるように曲げ形成されているデフロストヒータ１５を２箇所で室外機ベース２に押さえ付けて固定することができる。このため、デフロストヒータ１５の必要固定箇所に対し、ブラケット２５の数を半減することができ、構成の簡素化、低コスト化を図ることができる。
【００４０】
また、ブラケット２５には、他端側に室外機ベース２の底面に設けられている切欠き部（差し込み穴）２８に差し込み係止される係止部２９が設けられているため、ブラケット２５の他端に備えられている係止部２９を室外機ベース２の底面に設けられている切欠き部２８に係止し、ブラケット２５の一端を室外機ベース２の絞り部分３２にビス３１を介してビス止め固定することにより、１箇所のビス止めでブラケット２５を固定することができる。従って、デフロストヒータ１５の固定作業を簡素化し、組み立て性を向上することができる。
【００４１】
なお、本発明は、上記実施形態にかかる発明に限定されるものではなく、その要旨を逸脱しない範囲において、適宜変形が可能である。例えば、上記ブラケット２５は、構成材料について、特に限定されるものではないが、板厚が１ｍｍ程度の鋼板により構成することができる。また、押さえ部分３６，３７のアーム長さは、適正なベンディング機能が奏される長さに設計されることは云うまでもない。
【符号の説明】
【００４２】
１  室外機
２  室外機ベース
１５  デフロストヒータ
２１，２２  ドレン排水路
２５  ブラケット
２８  切欠き部（差し込み穴）
２９  係止部
３１  ビス
３２  絞り部分
３４，３５  打ち抜き部
３６，３７  押さえ部分
３８，３９  固定部分
４２  接触面
【図１】
0005448657.tif 000002
【図２】
0005448657.tif 000003
【図３】
0005448657.tif 000004
【図４】
0005448657.tif 000005
【図５】
0005448657.tif 000006
【図６】
0005448657.tif 000007